(57)【特許請求の範囲】
【請求項１】
複数のＬＥＤと、
複数の透光性のセグメントを有する可動部材であって、前記透光性のセグメントのうちの少なくとも１つは波長変換材料を有しており、前記可動部材は、前記ＬＥＤからの光が前記複数の透光性のセグメントを通過して透過されるように位置決めされていると共に、前記複数の透光性のセグメントを通過して伝達される光が前記透光性のセグメントの各々を通過して伝達される光の混合として知覚されるように、前記ＬＥＤに対して移動可能である、可動部材と、
前記照明装置から結果として得られる光の色が調整可能であるように、前記可動部材の運動に対応して時系列的な態様において個々の前記ＬＥＤに供給される電力をパルス化することにより前記個々のＬＥＤに供給される電力を制御することによって、前記混合から得られる光の色を制御する制御ユニットと、
を有する照明装置であって、
前記制御ユニットは、前記ＬＥＤに供給される電力のパルス化に伴う電力の減少を補償するために前記照明装置に供給される全電力を調整する、
照明装置。
【請求項２】
前記可動部材を作動させる電気アクチュエータを更に有する、請求項１に記載の照明装置。
【請求項３】
前記可動部材は、回転可能部材を有しており、前記照明装置は、前記回転可能部材を回転させる電気モータを更に備える電気アクチュエータを更に有する、請求項１又は２に記載の照明装置。
【請求項４】
前記可動部材は、前記複数のＬＥＤに対して回転するように配されているディスクを有する、請求項１乃至３の何れか一項に記載の照明装置。
【請求項５】
前記ＬＥＤは円形の配置において、位置決めされる、請求項１乃至４の何れか一項に記載の照明装置。
【請求項６】
前記波長変換材料は蛍光体である、請求項１乃至５の何れか一項に記載の照明装置。
【請求項７】
前記透光性のセグメントのうちの少なくとも１つは、透明なセグメントを通過して伝達される光の波長が変化されないままである前記透明なセグメントである、請求項１乃至６の何れか一項に記載の照明装置。
【請求項８】
前記制御ユニットは、パルス幅変調ユニットを有する、請求項１乃至７の何れか一項に記載の照明装置。
【請求項９】
前記制御ユニットは、前記照明装置に供給される全電力を、前記照明装置により消費される全電力が前記照明装置により発される光の色の変化に対し所定の値より小さく変化するように制御する、請求項１乃至８の何れか一項に記載の照明装置。
【請求項１０】
前記制御ユニットは、前記照明装置に供給される全電力を増大させることによって前記少なくとも１つのＬＥＤに供給される電力をパルス化することにより生じる全電力の減少を補償し、従って、前記照明装置の同じ全体的な効果を維持する、請求項１乃至９の何れか一項に記載の照明装置。
【請求項１１】
前記可動部材は、前記ＬＥＤを通過する気流を増大させる冷却手段を有する、請求項１乃至１０の何れか一項に記載の照明装置。
【請求項１２】
前記可動部材は、透光性のセグメントを通過する気流を増大させる冷却手段を有している、請求項１乃至１１の何れか一項に記載の照明装置。
【請求項１３】
前記冷却手段は前記可動部材に取り付けられた刃を有する、請求項１１又は１２に記載の照明装置。
【請求項１４】
複数のＬＥＤと、前記ＬＥＤからの光が透光性のセグメントを通過して伝達されるよう配された複数の前記透光性のセグメントを有する可動部材とを有する照明装置であって、前記透光性のセグメントのうちの少なくとも１つは波長変換材料を有している、照明装置を制御する方法であって、
前記照明装置から発される光の色を制御するステップと、
前記可動部材に対応して時系列的な態様において個々の前記ＬＥＤに供給される電力をパルス化することにより前記個々のＬＥＤに供給される電力を制御するステップと、
前記ＬＥＤに供給される電力のパルス化に伴う電力の減少を補償するために前記照明装置に供給される全電力を制御するステップと、
を有する方法。
【請求項１５】
前記照明装置に供給される全電力を制御するステップは、前記照明装置に供給される全電力を増加させることによって、前記少なくとも１つのＬＥＤに供給される電力をパルス化することにより生じる全電力の減少を補償し、従って、前記照明装置の電力の消費を維持するステップを有する、請求項１４に記載の方法。
【発明の詳細な説明】
【技術分野】
【０００１】
本発明は、一般に、強調されたカラースペクトル又は調整可能なカラースペクトルを有する照明装置に関する。
【背景技術】
【０００２】
発光ダイオード（ＬＥＤ）照明装置は、照明装置の急速に成長している部分であり、これらの高い有効性のために単位エネルギー当たり高いルーメン出力を提供するという有利な点を有する。更に、ＬＥＤ照明装置は、ＬＥＤ技術の環境的に有利な点に寄与している耐久性及び堅牢性を有している。
【０００３】
従来のＬＥＤ技術に関する欠点のうちの１つは、ＬＥＤが一般に比較的狭いスペクトルの光を発するようなものであり、従って、日光により照明される表面の知覚される色（一般的に基準として考慮される）と比較して、照明された表面の色を変化させる。
【０００４】
照明装置をより良好に日光を模倣するＬＥＤ技術に基づくものにするための、即ち発される光のスペクトル成分を増大させる様々な解決策が、提案されてきている。これらの解決策は、ＬＥＤにおいて生成される光がこれらを通過して伝達される様々な透光性の波長変換材料の使用を含んでいる。
【発明の概要】
【発明が解決しようとする課題】
【０００５】
米国特許第２００９／０１８７２３４号において提案される一実施例は、ホイールが生成する個々の閃光を目が統合する（integrate）ような速度において、かつ、可視的なフリッカが観察されないように、単一のＬＥＤの前で回転される複数の波長変換材料を有する回転ホイールである。次いで、前記単一のＬＥＤは、人間の目によって、回転する波長変換材料により生成される色の混合を含む高い周波数成分を有する光を発するものとして知覚される。米国特許第２００９／０１８７２３４号は、更に、カラースペクトルを調整するために前記ＬＥＤへの電流のパルス幅変調（ＰＷＭ）を使用して特定の周波数を調光することを提案している。
【０００６】
ＬＥＤのパルス化に関する１つの不利な点は、ＬＥＤにより提供される全光出力が特定のパルスに依存して変化することであり、従って、より一定の光出力を提供する改良型の照明装置に対する必要性が存在する。
【課題を解決するための手段】
【０００７】
従って、複数のＬＥＤと複数の透光性のセグメントを有する可動部材とを有する照明装置が、提供される。透光性のセグメントのうちの少なくとも１つは、波長変換材料を有する。可動部材は、ＬＥＤからの光が複数の透光性のセグメントを通過して伝達されるように配される。この部材は、複数の透光性のセグメントを通過して伝達される光が透光性のセグメントの各々を通過して伝達される光の混合（又は混成）として時系列的に知覚されるように、ＬＥＤに対して移動可能である。
【０００８】
照明装置は、更に、当該照明装置から結果として得られる光の色が調整可能であるように、可動部材の運動に対応して個々のＬＥＤに供給される電力を（即ちＬＥＤの各々の電力を別個に）制御することによって混合（又は混成）から結果として得られる光の色を制御する制御ユニットを更に有する。制御ユニットは、更に、複数のＬＥＤの各々に供給される電力とは独立に照明装置に供給される全電力を調整するように適応化されることができる。
【０００９】
照明装置に供給される全電力を調整することによって、複数のＬＥＤのうちの１つに供給される電力の変化によって生じるルーメン出力の変化を補償することが可能である。照明装置に供給される全電力の調整は、更に、如何なる周波数スペクトルにおいても照明装置を最大電力で動作させること及び／又は照明装置を如何なる色にも調光することを可能にする。照明装置に供給される全電力を一定に保持することの有利な点は、照明装置により提供される光出力が、照明装置が調整される如何なる色においても最大であり得ることにある。
【００１０】
可動部材は、一実施例によれば、透光性のセグメントが、ＬＥＤの前で回転している円形のセクタである回転ディスクであり、この結果、ＬＥＤからの光はこれを通過して伝達される。
【００１１】
一実施例によれば、照明装置は、複数の透光性のセグメントを通過して伝達される光が透光性のセグメントの各々を通過して伝達される光の混合として知覚されるように、可動部材を移動させるように適応化された電気アクチュエータを有する。可動部材は、回転可能部材を有していても良く、電気アクチュエータは、光を発しているＬＥＤに対して透光性のセグメントを移動させる回転可能部材を回転させるのに適応化された電気モータであっても良い。回転可能部材は、例えば、複数のＬＥＤに対して回転するように配されたディスクを有していても良く、ＬＥＤは、円形の配置において位置決めされることができる。
【００１２】
透光性のセグメントの各々を通過して透過される光の混合として知覚される光の混合を得るために、可動部材は、照明装置が閃光を示す（flash）ように急速に移動されるのを必要とする。目に見えるフリッカを防止するために、閃光の周波数は、十分に高いものであることを必要とし、周波数は、有色の閃光の順序とこれらの閃光のスペクトル補償とに依存する。光閃光が、赤、緑及び青色の閃光の反復サイクルである場合、このようなサイクル（赤、緑、青）の反復周波数は、５０Ｈｚ以上でなければならず、好ましくは更に１５０Ｈｚ以上でなければならない。フリッカの知覚は、個々の閃光のパルス幅にも依存する。例えば、各々１ミリ秒のＲＧＢパルスの５０Ｈｚのサイクルは、即ち各々２ミリ秒のＲＧＢパルスの５０Ｈｚのサイクルよりも目に見え、即ちフリッカの高い知覚を有し、ＲＧＢパルスのサイクルは、ＹＲＧＢ（黄色）パルスのサイクルよりも目に見え、即ちフリッカの高い知覚がある。なぜならば、各黄色（Ｙ）のパルスは、緑（Ｇ）及び赤（Ｒ）の合成であるからである。
【００１３】
一実施例によれば、波長変換材料は、これを通過して伝達される光の波長を変換する蛍光体である。
【００１４】
可動部材は、更に、透明なセグメントを通過して伝達される光が不変のままであるように配される少なくとも１つの透明なセグメントを有することができる。透明なセグメントの含有は、得られる光の成分としてＬＥＤから発される光の周波数を有することを可能にする。透明なセグメントは、光の合成の対応する部分における如何なる損失も付加しないという利点を有する。
【００１５】
一実施例によれば、ＬＥＤに供給される電力は、例えば、制御ユニットのパルス幅変調ユニットによって、ＬＥＤに供給される電力をパルス化することにより制御される。パルス幅変調ユニットは、例えば、半導体スイッチによって実施化されることができる。制御ユニットは、発される光の色に関係なく装置の電力消費が一定であるように、ＬＥＤに供給される電力を制御するのに適応化されていても良い。このようにして、照明装置の同一の全体的な効果が維持され、従って、例えば、光強度は、照明装置から発される色に関係なく最大レベルに維持されることができる。
【００１６】
一実施例によれば、制御ユニットは、照明装置により消費される全電力が照明装置により発される光の色の変化に応じて（現在の値の）所定のパーセンテージ又は値よりも小さく（例えば５％未満）変化するように、照明装置に供給される全電力を制御するように適応化される。代替的には、他の実施例では、制御ユニットは、照明装置により提供される全照明が照明装置により発される光の色の変化に応じて所定の閾値よりも小さく（例えば、１０％未満又は５％未満）変化するように、照明装置に供給される全電力を制御するように構成されることができる。
【００１７】
照明装置の一実施例によれば、可動部材は、ＬＥＤ及び／又は透光性のセグメントを通過する気流を増大させるのに適応化された冷却手段を更に有する。冷却手段は、可動部材に取り付けられる刃を含むことができる。前記刃は、当該刃がＬＥＤからの光を妨害しないように可動部材に取り付けられることができる。
【００１８】
一実施例において、可動部材は、複数のＬＥＤに対して回転するように適応化されたディスクを有し、冷却手段はディスクに取り付けられる刃を有する。刃は、ＬＥＤが位置決めされる円形の配置の直径よりも小さい直径及び／又はＬＥＤが位置決めされる円形の配置の直径よりも大きい直径を有する円形の配置において、ディスクに取り付けられることができる。ＬＥＤと異なる直径における刃の取付けは、刃がＬＥＤから光を妨害することなく冷却を提供することを可能にする。
【００１９】
照明装置を制御する方法が、更に提供される。当該照明装置は、複数のＬＥＤ、及び前記ＬＥＤからの光がこれらを通過されて伝達されるように配された複数の透光性のセグメントを有する可動部材を有する。透光性のセグメントのうちの少なくとも１つは、波長変換材料（例えば、蛍光体材料）を有する。当該方法は、（例えば、電力のパルス化により）ＬＥＤの各々に供給される電力と、可動部材の運動とを制御することによって、照明装置から発される光の色を制御するステップと、前記複数のＬＥＤの各々に供給される電力と独立に前記照明装置に供給される全電力を制御するステップとを有する。
【００２０】
一実施例によれば、照明装置から発される光の色を制御するステップは、前記ＬＥＤのうちの少なくとも１つに供給される電力をパルス化するステップを有し、照明装置に供給される全電力を制御するステップは、前記照明装置に供給される全電力を増大させることによって、少なくとも１つのＬＥＤに供給される電力をパルス化することによって生じる全電力の減少を補償し、従って前記照明装置の同じ全体の電力消費を保持するステップを有する、又は電力のパルス化を経て照明装置から発される光の色の制御が全電力の増大を誘導する場合には反対にするステップを有する。
【００２１】
本発明は、添付の請求項において、詳述されるフィーチャの全てのあり得る組合せに関することに留意されるべきである。本発明の更なる目的、フィーチャ及び有利な点は、以下の詳細な説明、図面及び添付の特許請求の範囲を研究する際に明らかになるであろう。当業者であれば、本発明の様々なフィーチャが、以下に記載されているもの以外の実施例を作るために組み合わされることができることを理解するであろう。
【図面の簡単な説明】
【００２２】
【図１】一実施例による照明装置の模式的な側面図である。
【図２】一実施例による回転部材及びキャリアプレートの模式的な上面図と共に照明装置の模式的な側面図を示している。
【図３】照明装置から発される光の色がどのように変化されることができるかを記述しているＣＩＥ１９３１色度図である。
【図４】冷却手段を有する照明装置の実施例の模式的な側面図である。
【図５】冷却手段を有する照明装置の実施例の他の模式的な側面図である。
【図６】図５ａに示されている照明装置の回転可能部材の高い方から見た図（elevated view）である。
【発明を実施するための形態】
【００２３】
本発明の見地は、本発明の実施例を示している添付図面を参照して、以下で更に詳細に記載される。
【００２４】
全ての図は、模式的であり、必ずしも縮尺で描かれているわけではなく、一般に、本発明を説明するために必要な部分のみを示しており、他の部分は、省略され得る又は単に示唆され得る。
【００２５】
照明装置は、複数の透光性のセグメントを有する可動部材が、ＬＥＤから発される光が複数の透光性のセグメントを通過して伝達されるようにＬＥＤに対して位置決めされる又は移動されるような構成において配されている（例えば、少なくとも２つのＬＥＤのような）複数のＬＥＤを有する。透光性のセグメントの幾つかは、通過して伝達される光の波長が変換されるような波長変換材料を備えている。可動部材は、様々な波長の光が人間の目によって、何らかの目立つフリッカを伴うことなく単一の色として知覚されるような速度で移動する。前記照明装置に接続されている制御ユニットは、特定のＬＥＤが調光されることができるように、（例えば、パルス幅変調によって、）個々のＬＥＤに供給される電力を制御するのに適応化されている。セグメントを有する可動部材の運動と個々のＬＥＤに供給される電力のパルス化との間の時系列的なタイミングは、完全な照明装置により発される結果として生じる光の色を変化させることを可能にする。照明装置内のＬＥＤの１つ以上からの光の、当該光が特定のセグメントを通過して横断する時点におけるパルス化は、結果として、当該特定のセグメントに対応する色に関して、照明装置により発される光スペクトルにおける特定の部分の減少をもたらす。このパルス化は、更に、装置の電力消費を減少させる。この電力の減少を補償するために、制御ユニットは、更に、減少された電力消費が補償されるように照明装置に供給される全電力を制御するのに適応化され、例えば、発された光の色を変化させるために照明装置内のＬＥＤのうちの１つのパルス化は、前記ＬＥＤが他のセグメントを照明するとき、前記ＬＥＤに供給される電力を増大させることにより補償されることができる。
【００２６】
以下で、本発明の実施例の詳細な説明が、添付図面を参照して与えられる。図面は、単に例示のためのものであり、本発明の範囲を如何なる仕方においても制限するものではないことが理解されるであろう。「上」又は「下」のような、方向に関する如何なる参照も、図において、示されている方向を参照しているのみである。
【００２７】
図１は、一実施例による照明装置１を示している。照明装置１は、キャリアプレート４上に位置決めされる複数のＬＥＤ２ａ、２ｂを有する。ＬＥＤ２ａ、２ｂは第１の波長（例えば、青色波長（４４０―４９０ｎｍナノメートル）であり得る）を有する光Ｌを発する。照明装置１は、更に、ＬＥＤ２ａ、２ｂからの光Ｌがこれらを通過して伝達される複数の透光性のセグメントＳ１−Ｓ８を有する可動部材３を有する。透光性のセグメントＳ１−Ｓ８のうちの少なくとも１つは、複数のＬＥＤ２ａ、２ｂから光Ｌの波長を第２の波長を有する光Ｌ'に変換する波長変換材料を有する。このような変換は、ＬＥＤ２ａ、２ｂにより発される第１の波長を有する光を吸収するのに適応化されていると共に、第２の波長の光を発するのに適応化されている蛍光体材料によって得ることができる。他の代替的なものは、例えば、カラーフィルタの使用に基づいて構想されることができる。可動部材３は、ＬＥＤ２ａ、２ｂからの光Ｌが複数の透光性のセグメントＳ１−Ｓ８を通過して伝達されるように位置決めされ、可動部材３は、複数の透光性のセグメントＳ１−Ｓ８を通過して伝達された光Ｌが透光性のセグメントＳ１―Ｓ８の各々を伝達される光の時系列的な混合として知覚されるように移動されるのに適応化されている。図１に示された実施例による照明装置１は、更に、キャリアプレート４に取り付けられたＬＥＤ２ａ、２ｂにリード６により接続されている制御ユニット５を有する。制御ユニット５は、照明装置１から発される結果として得られる全体的な光の色が可動部材３とＬＥＤ２ａ、２ｂの電力制御との間の調整により変化されることができるように、個々のＬＥＤ２ａ、２ｂに供給される電力を制御するように適応化されている。可動部材３は、アクチュエータ（例えば、電気モータ）により移動されるのに適応化されていると共に、可動部材３の回転又は直線運動を生成するように適応化されている。
【００２８】
制御ユニット５は、更に、複数のＬＥＤのそれぞれに供給される電力と独立に照明装置１に供給される全電力を調整するように適応化されており、従って、照明装置１に供給される全電力の調整を可能にし、如何なる周波数スペクトルにおいても照明装置１を最大電力において動作させること及び／又は照明装置１を如何なる色にも調光することを可能にする。目は、（閃光の高周波のために）目立つフリッカを伴わない時系列的な閃光を単一の色に統合するので、あらゆるＬＥＤが同じスペクトル成分を実現する。あらゆるＬＥＤが類似の（スペクトル及び角度の）光特性を有する光を実現するように、照明装置は、ビーム内で良好なビーム特性及び色の整合性を有する。光がＬＥＤの全てから生成されるので、光は小さい表面において生成され、即ち当該表面内の各スポットは同じスペクトル組成の光を発し、当該表面は全ての光がビーム内に捕捉される全角度に向かって同じスペクトルの光分布を発する。
【００２９】
図２は、可動部材３が複数の透光性のセグメントＳ１−Ｓ８を有する回転可能なディスク３である照明装置１の実施例を示している。回転可能なディスク３は、円形の配置において位置決めされている複数のＬＥＤ２ａ−２ｈを有するキャリアプレート４に対して回転可能である。回転可能なディスクは、キャリアプレート４を通って自由に走っている軸７によってディスクに接続されているモータ８により回転可能である。キャリアプレートに位置決めされるＬＥＤは、目立つフリッカを伴わずに各ＬＥＤから生じる閃光の各系列を単一の色に統合するような速度において時系列的な態様においてセグメントＳ１―Ｓ８を照明するように配される。回転可能なディスク３におけるセグメントＳ１−S８のうちの少なくとも一部は、対応する波長変換材料を通過して伝達される場合、波長、従って光の色が変換されるような波長変換材料を有する。波長変換材料は、例えば、様々な蛍光体領域を有することができる。蛍光体は、これらが様々な波長において、蛍光を発するように光ルミネセンスを呈する材料である。蛍光体は、一般に、透明材料（例えば、ガラス又はプラスチック）の様々な空間領域上に被覆されている蛍光体の１つ以上の層でできている。透明材料の様々な空間領域に被覆されている層は、様々な蛍光体、又は蛍光体若しくは他の材料の様々な混合物を有することができる。幾つかの実施例において、空間領域の１つ以上は、蛍光体以外の材料から形成される層を含むことができる。例えば、１つ以上の領域は、ダイクロイックフィルタ、吸収フィルタ、干渉フィルタ、又は色を変更する特性を備えない透明領域を有することができる。波長変換材料を含まないセグメントは、如何なる材料も全く含まないか、又は当該材料を通過して伝達される光の波長を変えない透明材料（例えば１枚のガラス又は透明なプラスチック）を有するかの何れかである。透明である又は空のセグメントは、ＬＥＤの元の波長（典型的に青い色）を発する。
【００３０】
特定のＬＥＤを覆っている蛍光体層による青色光の変換は、「角度にわたる色」の問題を生じ得る。ＬＥＤダイは、通常、全方向に青色光を発し、このようなものとして、特定の（青色）光線の光学的な距離は、様々な角度においてＬＥＤダイから生じるので、様々な光路長によって蛍光体層を横断する。結果として、非垂直な角度において、蛍光体層を通過する青色光線の光強度は、垂直に通過する光線の場合よりも低く、様々な入射角に対し異なる色の光をもたらす。部材３内の蛍光体フィルタは、特定の蛍光体要素上に入射する全ての青色光が前記蛍光体要素により変換され、ＬＥＤからのごく僅かな量の青色光が特定のフィルタ要素を通過する仕方において設計されることができる。この場合、一実施例の光スペクトルにおける青色の部分は、部材３における透明要素を通過するＬＥＤの青色光からのみ生じるものであることができ、光ビームの角度の違いに対して如何なる色もたらさない。
【００３１】
図２に示した実施例による照明装置は、更に、モータを制御するように、即ち制御ユニット５及びモータ８を接続しているリード６'によってディスクの回転を制御するように適応化されている制御ユニット５を有する。制御ユニットは、更に、回転ディスク３の回転に対して時系列的な態様においてＬＥＤに供給される電力をパルス化するために、異なるリード６'によってＬＥＤの各々に接続されている。ＬＥＤに供給される電力をパルス化することによって、より小さいパルスが、特定のセグメントがＬＥＤを通過する場合に、特定のＬＥＤに対して提供されることができ、照明装置１から当該周波数のより小さい出力をもたらし、従って、光源から発される得られる光ビームの知覚される色を変化させる。透明又は空のセグメントを通過するパルスのパルス長を増大させることによって、当該色は変化される。特定の波長が他の波長のものよりも大幅に長い時間に対してパルス化されなければならない場合、ディスクの速度を一定にするのを可能にするために１つ以上のセグメントの大きさを変更することが必要であり得る。この場合、１つ以上のセグメントの大きさは、部材又はディスクの運動の方向において異なる。
【００３２】
制御ユニット５は、図１を参照して示される実施例によれば、照明装置から発される全ての光が照明装置から発される光の得られる色の制御と独立に、即ち複数のＬＥＤの各々に供給される電力と独立に制御されることができるように、照明装置１に供給される全電力を制御するように更に適応化されることができる。照明装置に供給される全電力の別個の制御は、照明装置１が、色に関係なく最大電力において動作される及び／又は色に関係なく調光されることを可能にする。
【００３３】
本願明細書において開示される実施例の何れかによる照明装置は、照明装置が従来の電球ソケットに挿入されることができるような、光プラグを有していても良い。
【００３４】
図３は、実施例におけるＣＩＥ１９３１色度図を示しており、可動部材は、例えば、点２１の一次色座標を有するライム色蛍光体（Lime phosphor）、点２３における原色座標を有する赤色蛍光体、及び点２２においてＬＥＤから発される青色を表している原色座標を有する透明セグメントのような、波長変換材料を有する。可動部材が移動する場合、目は、ライム色蛍光体と赤色蛍光体と透明なセグメントを通過して伝達される青色光を形成する光とを混合することによって得られる色を見る。結果として生じる光は、ＣＩＥ１９３１色度図の点２４により表される白い領域にある。ＬＥＤに供給される電力がパルス化されるので、色は原色座標２０、２１、２３における角を有するカラースペクトルにおける三角形の範囲内で調整されることができる。
【００３５】
照明装置に供給される全電力を制御するための制御ユニット（例えば、図１及び２に記載されている制御ユニット５）を使用することによって、照明装置に供給される全電力が一定に保たれることができる一方で、照明装置により発される色は変更される。
【００３６】
一例として、例えば、照明装置は、8個の１ワットＬＥＤを有する図２を参照して記載される実施例により提供され、照明装置から発される青色光の量は減少されなければならない。透明なセグメントが特定のＬＥＤの前にある度に、ＬＥＤに供給される電力は、例えば、サイクル時間（回転ディスク（図２における３）が所望の白色を得るために１つの完全な円（３６０度）を描く時間）の１／８における５０％のデューティサイクルによってパルス化されることができる。この場合、各ＬＥＤに供給される電力は、（１／８＊０．５＋７／８＊１）＝０．９３７Ｗに向かって減少され、照明装置の出力は、図３のＣＩＥ１９３１色度図における色点２２から離れる方向に移動される。この時点で、ＬＥＤは、各々１ワットの最大公称電力まで駆動されるのではなく、各々僅か０．９３７ワットにおいて駆動される。このことは、次いで、１／０．９３７＝１．０６７の係数によって全てのＬＥＤに供給される電力をブーストすることにより補償される。この場合、各ＬＥＤに関する平均電力は、（１／８＊０．５＋７／８＊１）＊１．０６７＝１．０００ワットになり、照明装置に供給される全電力は再び８ワットである。
【００３７】
図４は、図１を参照して示される照明装置の構成要素を含む照明装置の実施例を示している。図４の実施例による照明装置は、ＬＥＤ２ａ、２ｂ又は透光性のセグメントＳ１―Ｓ６を通過する気流Ａを増大させるように適応化されている冷却手段１０ａ'―１０ｂ''を更に有する。図４に示されている実施例によれば、冷却手段は、刃１０ａ'―１０ｂ'の運動が気流Ａを増大させるように可動部材３に取り付けられている刃１０ａ'―１０ｂ''を有する。図４に示されている実施例において、可動部材は、軸によって電気モータに接続されている回転可能なディスク３である。冷却手段は、円形の配置においてディスク３に取り付けられる２組の刃１０ａ'―１０ａ''（１０ｂ'―１０ｂ''）を有する。第１の組の刃は、ＬＥＤ２ａ、２ｂが位置決めされる円形の配置の直径より大きい直径を有する円形の配置において取り付けられるのに対し、第２の組の刃１０ｂ'、１０ｂ''は、ＬＥＤ２ａ、２ｂが位置決めされる円形の配置の直径よりも小さい直径を有する円形の配置において取り付けられる。この取付けによって、刃は、冷却を提供する際、ＬＥＤからの光Ｌを妨害しない。
【００３８】
図５ａ、５ｂは、図４のものと類似の照明装置１の実施例を示している。違いは、刃１０ｃ'、１０ｃ''がディスク３の表面に垂直な円形の配置において取り付けられていると共に、ＬＥＤが位置決めされる円形の配置の直径に重なっていることである。ＬＥＤからの光がパルス化されるので、照明装置１は、刃が光を妨害しないように同期されることができ、従って、結果として生じる光を妨害することなくＬＥＤと同じ直径で取り付けられる刃を有することを可能にする。
【００３９】
この実施例に適用される本発明の重要かつ新規なフィーチャを有する実施例の詳細な説明によって、上述された装置及び方法の形態及び詳細における様々な省略及び置換並びに変化は、本発明の精神を逸脱することなく当業者により行われることができるものと理解されたい。実施例は、一般的な記載の一部として見られるべきであり、従って、一般に如何なる仕方においても組み合わせることができる。如何なる符号も添付の請求項の範囲を制限するものと考慮されてはならないことも理解されたい。
【図１】
0006038277.tif 000002
【図２】
0006038277.tif 000003
【図３】
0006038277.tif 000004
【図４】
0006038277.tif 000005
【図５ａ】
0006038277.tif 000006
【図５ｂ】
0006038277.tif 000007